(57)【要約】【課題】  無線通信システムで、負荷分散の効果を向上する。【解決手段】  複数の基地局と、複数の移動体端末を有し、基地局から送信される無線信号が受信可能なエリアであるセルが定義され、移動体端末はいずれか一つのセルに所属してデータ通信を行う無線通信システムで開示される。このシステムは、負荷分散制御装置を備え、負荷分散制御装置は、制御対象となる範囲の各セルの負荷情報を基地局から収集して格納する、セルの負荷情報保持テーブルと、負荷情報に基づいて、各セルの負荷ランクを判定するセルの負荷判定部と、負荷ランクに基づいて、負荷を減らすべきセルと、負荷を増やすべきセルを判定するハンドオーバ先セル、ハンドオーバ元セル決定部と、負荷を減らすべきセルと負荷を増やすべきセルのハンドオーバ条件を変更するためのオフセット値を決定する、ハンドオーバオフセット値決定部と、を有する。【選択図】  図４
2017152786.tif 000002
【特許請求の範囲】
【請求項１】
複数の基地局と、複数の移動体端末を有し、前記基地局から送信される無線信号が受信可能なエリアであるセルが定義され、前記移動体端末はいずれか一つのセルに所属してデータ通信を行う無線通信システムにおいて、
負荷分散制御装置を備え、
前記負荷分散制御装置は、
制御対象となる範囲の各セルの負荷情報を前記基地局から収集して格納する、セルの負荷情報保持テーブルと、
前記負荷情報に基づいて、前記各セルの負荷ランクを判定するセルの負荷判定部と、
前記負荷ランクに基づいて、負荷を減らすべきセルと、負荷を増やすべきセルを判定するハンドオーバ先セル、ハンドオーバ元セル決定部と、
前記負荷を減らすべきセルと前記負荷を増やすべきセルのハンドオーバ条件を変更するためのオフセット値を決定する、ハンドオーバオフセット値決定部と、
を有する、
無線通信システム。
【請求項２】
前記ハンドオーバ先セル、ハンドオーバ元セル決定部は、
前記各セルに対して、該セルに隣接する隣接セルと、該隣接セルに隣接するセルを特定する負荷分散エリア情報を用い、
前記負荷ランクが一定値以上のセルを、前記負荷を減らすべきセルと決定し、
前記負荷を減らすべきセルの隣接セルと、該隣接セルに隣接するセルの中に、前記負荷を減らすべきセルより一定値以下の負荷ランクのセルがある場合、当該セルを前記負荷を増やすべきセルと決定する、
請求項１記載の無線通信システム。
【請求項３】
前記ハンドオーバオフセット値決定部は、
前記ハンドオーバ条件を表すハンドオーバパラメータに対して、オフセット値を決定するものであり、
前記負荷を減らすべきセルと、前記負荷を増やすべきセルの、前記負荷ランクの差に基づいて、前記オフセット値を決定する、
請求項１または２記載の無線通信システム。
【請求項４】
前記ハンドオーバオフセット値決定部は、
前記ハンドオーバ条件を表すハンドオーバパラメータに対して、オフセット値を設定するものであり、
前記負荷を減らすべきセルと、前記負荷を増やすべきセルの、前記負荷ランクの差に基づいて、前記オフセット値を決定し、
前記負荷を増やすべき１つのセルに対して、前記負荷を減らすべきセルが複数ある場合には、当該前記負荷を減らすべきセルの個数に応じて、決定した前記オフセット値を修正する、
請求項１または２記載の無線通信システム。
【請求項５】
前記セルの負荷情報保持テーブルは、
前記セルの、無線リソース使用率、有線リソース使用率、および、接続移動体端末数の少なくとも一つの情報を収集する、
請求項１記載の無線通信システム。
【請求項６】
前記負荷判定部は、
前記セルの、無線リソース使用率、有線リソース使用率、および、接続移動体端末数の少なくとも一つの情報に対応して前記負荷ランクを定義した、負荷ランク決定情報を用い、前記各セルの負荷ランクを判定する、
請求項１記載の無線通信システム。
【請求項７】
負荷分散効果判定部を有し、
前記負荷分散効果判定部の判定処理の結果、前記ハンドオーバ条件の変更により効果がないものと判定された場合には、前記ハンドオーバオフセット値決定部により変更した前記ハンドオーバ条件を元に戻す、
請求項１記載の無線通信システム。
【請求項８】
複数の基地局と、複数の移動体端末を有し、前記基地局から送信される無線信号が受信可能なエリアであるセルを定義し、前記移動体端末はいずれか一つのセルに所属してデータ通信を行う無線通信システムにおいて、前記セル間の負荷を分散させる制御を行う無線通信システムの負荷分散制御方法であって、
制御対象となる範囲の各セルの負荷情報を収集する負荷情報収集処理と、
前記負荷情報に基づいて、前記各セルの負荷ランクを判定する負荷判定処理と、
前記負荷ランクに基づいて、負荷を減らすべきセルと、負荷を増やすべきセルを決定するハンドオーバ先セル、ハンドオーバ元セル決定処理と、
前記負荷を減らすべきセルと前記負荷を増やすべきセルのハンドオーバ条件を変更する負荷分散制御処理と、
を行う、
無線通信システムの負荷分散制御方法。
【請求項９】
前記ハンドオーバ先セル、ハンドオーバ元セル決定処理は、
前記各セルに対して、該セルに隣接する隣接セルと、該隣接セルに隣接するセルを特定する負荷分散エリア情報を用い、
前記負荷ランクが一定値以上のセルを、前記負荷を減らすべきセルと決定し、
前記負荷を減らすべきセルの隣接セルと、該隣接セルに隣接するセルの中に、前記負荷を減らすべきセルより一定値以下の負荷ランクのセルがある場合、当該セルを、前記負荷を増やすべきセルと決定する、
請求項８記載の無線通信システムの負荷分散制御方法。
【請求項１０】
前記負荷分散制御処理は、
前記ハンドオーバ条件を表すハンドオーバパラメータに対して、オフセット値を決定する、ハンドオーバオフセット値決定処理を含み、
該ハンドオーバオフセット値決定処理は、
前記負荷を減らすべきセルと、前記負荷を増やすべきセルの、前記負荷ランク差に基づいて、前記オフセット値を決定する、
請求項８または９記載の無線通信システムの負荷分散制御方法。
【請求項１１】
前記負荷分散制御処理は、
前記ハンドオーバ条件を表すハンドオーバパラメータに対して、オフセット値を設定する、ハンドオーバオフセット値決定処理を含み、
該ハンドオーバオフセット値決定処理は、
前記負荷を減らすべきセルと、前記負荷を増やすべきセルの、前記負荷ランク差に基づいて、前記オフセット値を決定し、
前記負荷を増やすべき１つのセルに対して、前記負荷を減らすべきセルが複数ある場合には、当該前記負荷を減らすべきセルの個数に応じて、決定した前記オフセット値を修正する、
請求項８または９記載の無線通信システムの負荷分散制御方法。
【請求項１２】
前記負荷情報収集処理は、
前記セルの、無線リソース使用率、有線リソース使用率、および、接続移動体端末数の少なくとも一つの情報を収集する、
請求項８記載の無線通信システムの負荷分散制御方法。
【請求項１３】
前記負荷判定処理は、
前記セルの、無線リソース使用率、有線リソース使用率、および、接続移動体端末数の少なくとも一つの情報に対応して前記負荷ランクを定義した、負荷ランク決定情報を用い、前記各セルの負荷ランクを判定する、
請求項８記載の無線通信システムの負荷分散制御方法。
【請求項１４】
前記負荷分散制御処理の後に、負荷分散効果の判定処理を行い、
前記負荷分散効果の判定処理の結果、効果がないものと判定された場合には、変更した前記ハンドオーバ条件を元に戻す、
請求項８記載の無線通信システムの負荷分散制御方法。
【請求項１５】
複数の基地局と、複数の移動体端末を有し、前記基地局から送信される無線信号が受信可能なエリアであるセルが定義され、前記移動体端末はいずれか一つのセルに所属してデータ通信を行う無線通信システムに用いる負荷分散制御装置であって、
制御対象となる範囲の各セルの負荷情報を前記基地局から収集して格納する、セルの負荷情報保持テーブルと、
前記負荷情報に基づいて、前記各セルの負荷ランクを判定するセルの負荷判定部と、
前記負荷ランクに基づいて、負荷を減らすべきセルと、負荷を増やすべきセルを判定するハンドオーバ先セル、ハンドオーバ元セル決定部と、
前記負荷を減らすべきセルと前記負荷を増やすべきセルのハンドオーバ条件を変更するハンドオーバオフセット値決定部と、
変更した前記ハンドオーバ条件を、直接または他の装置を介して前記基地局に通知するためのインタフェースと、
を有する、
負荷分散制御装置。
【発明の詳細な説明】
【技術分野】
【０００１】
本発明は、無線通信システムに関し、特にセルラ無線通信システムにおける負荷分散制御方法、当該方法を実現する負荷分散制御装置、および当該方法を実現する基地局監視装置に関する。
【背景技術】
【０００２】
セルラ無線通信システムにおいて、移動体端末は、移動体端末毎にいずれかの基地局と接続し、データ通信を行う。移動体端末は、一般に複数の接続可能な基地局の中で最も通信品質の良い基地局と接続し、データ通信を行う。したがって、移動体端末の滞在場所の偏りなどで、基地局に接続する移動体端末数の偏りが発生する場合があり、当該偏りが発生した場合は、基地局間で負荷の偏りが発生する。基地局間に負荷の偏りが発生した場合、負荷の高い基地局ではリソースが逼迫する事で、移動体端末に対するスループット、ＱｏＥ（Ｑｕａｌｉｔｙ  ｏｆ  Ｅｘｐｅｒｉｅｎｃｅ）が劣化する場合がある。一方、負荷の低い基地局では、使用されないリソースが発生し、リソースの利用効率が低くなる場合がある。
【０００３】
そこで、セルラ通信システムの標準化団体である３ＧＰＰ（３ｒｄ  Ｇｅｎｅｒａｔｉｏｎ  Ｐａｒｔｎｅｒｓｈｉｐ  Ｐｒｏｊｅｃｔ）では、セルラ通信システムの一つであるＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）における、基地局間の負荷を分散させる技術として、ＭＬＢ（Ｍｏｂｉｌｉｔｙ  Ｌｏａｄ  Ｂａｌａｎｃｉｎｇ）が非特許文献１に記載されている。基地局間の負荷を分散させる事で、移動体端末のスループット、ＱｏＥの向上、リソースの利用効率の向上が期待できる。ＭＬＢでは、基地局間の負荷情報の送受信手順、負荷情報の内容、および基地局間での負荷分散のためのハンドオーバパラメータ変更手順について規定している。
【０００４】
しかしながら非特許文献１では、処理の概要、基地局間での送受信される負荷情報のみが規定されており具体的な負荷分散アルゴリズム、すなわち負荷分散のためのハンドオーバパラメータの算出方法は規定されていない。そこで、負荷の高い基地局と負荷の低い基地局間のハンドオーバパラメータ算出方法について検討がされている。
【０００５】
例えば、特許文献１では、各基地局が隣接する基地局間との負荷の偏りを判別し、特定の移動体端末を負荷の高い基地局から負荷の低い基地局へハンドオーバさせるようにハンドオーバパラメータ算出し、変更する、という技術が開示されている。
【先行技術文献】
【特許文献】
【０００６】
【特許文献１】特開２０１３―１７９４０１号公報
【非特許文献】
【０００７】
【非特許文献１】３ＧＰＰ  ＴＲ  ３２．８６０  Ｖ０．７．０（［平成２８年１月２５日検索］、インターネット＜URL：http：//www.3gpp.org/DynaReport/32860.htm＞当該頁表中のversion列の”0.7.0”のリンクよりダウンロード可能。
【発明の概要】
【発明が解決しようとする課題】
【０００８】
一般的に負荷分散制御は、負荷の高い基地局と、負荷が低い基地局間でおこなわれ、負荷が高い基地局の移動体端末を、負荷の低い基地局に対してハンドオーバさせるように前記各基地局のハンドオーバパラメータを変更することで実現される。
【０００９】
この時、複数の負荷の高い基地局から、負荷の低い基地局に移動体端末を負荷分散のためにハンドオーバさせた場合、負荷分散後に基地局の負荷の高低が逆転し、同一基地局間で再度負荷分散が行われる可能性が有る。すなわち、負荷分散により、負荷の高かった基地局の負荷が低くなり、負荷の低かった基地局の負荷が高くなる可能性がある。以降、この現象を「負荷分散ピンポン」と呼ぶ。負荷分散ピンポンが発生することで、ハンドオーバ処理量が増大し、装置の負荷が増大する。また、負荷分散ピンポンが発生した場合、負荷分散の効果が低減する事で、移動体端末のスループット、ＱｏＥ、および基地局のリソースの利用効率が向上しない可能性がある。
【００１０】
また負荷の高い基地局の隣接基地局に負荷の低い基地局が存在しない場合、すなわち負荷の高い基地局のＮＣＬ（Ｎｅｉｇｈｂｏｒ  Ｃｅｌｌ  Ｌｉｓｔ）に負荷の低い基地局が存在しない場合は、負荷分散が行われず、移動体端末のスループット、ＱｏＥ、および基地局のリソースの利用効率が向上しない可能性がある。
【００１１】
前記特許文献１では、基地局が個別に負荷分散制御を行うため、複数基地局が同一基地局に対して負荷分散を行った場合に発生する可能性のある、負荷分散ピンポンについて考慮されていない。また、負荷分散先の基地局（負荷の低い基地局）は負荷の高い基地局のＮＣＬから選択するため、負荷が高い基地局のＮＣＬに負荷の低い基地局が含まれない場合、負荷分散制御が行われない場合がある。
【００１２】
本発明は、複数の負荷の高い基地局から同一の負荷の低い基地局にハンドオーバさせた時の負荷分散ピンポンの発生を抑制し、負荷の高い基地局のＮＣＬだけでは無く負荷分散対象エリア内の基地局を対象とした負荷分散制御を行い、負荷分散の効果を向上される事を目的とする。
【課題を解決するための手段】
【００１３】
本発明の一側面は、複数の基地局と、複数の移動体端末を有し、基地局から送信される無線信号が受信可能なエリアであるセルが定義され、移動体端末はいずれか一つのセルに所属してデータ通信を行う無線通信システムである。このシステムは、負荷分散制御装置を備え、負荷分散制御装置は、制御対象となる範囲の各セルの負荷情報を基地局から収集して格納する、セルの負荷情報保持テーブルと、負荷情報に基づいて、各セルの負荷ランクを判定するセルの負荷判定部と、負荷ランクに基づいて、負荷を減らすべきセルと、負荷を増やすべきセルを判定するハンドオーバ先セル、ハンドオーバ元セル決定部と、負荷を減らすべきセルと負荷を増やすべきセルのハンドオーバ条件を変更するためのオフセット値を決定する、ハンドオーバオフセット値決定部と、を有する。
【００１４】
本発明の他の一側面は、複数の基地局と、複数の移動体端末を有し、基地局から送信される無線信号が受信可能なエリアであるセルを定義し、移動体端末はいずれか一つのセルに所属してデータ通信を行う無線通信システムにおいて、セル間の負荷を分散させる制御を行う無線通信システムの負荷分散制御方法である。この方法では、制御対象となる範囲の各セルの負荷情報を収集する負荷情報収集処理と、負荷情報に基づいて、各セルの負荷ランクを判定する負荷判定処理と、負荷ランクに基づいて、負荷を減らすべきセルと、負荷を増やすべきセルを決定するハンドオーバ先セル、ハンドオーバ元セル決定処理と、負荷を減らすべきセルと前記負荷を増やすべきセルのハンドオーバ条件を変更する負荷分散制御処理と、を行う。
【００１５】
本発明の他の一側面は、複数の基地局と、複数の移動体端末を有し、基地局から送信される無線信号が受信可能なエリアであるセルが定義され、移動体端末はいずれか一つのセルに所属してデータ通信を行う無線通信システムに用いる負荷分散制御装置である。この装置は、制御対象となる範囲の各セルの負荷情報を基地局から収集して格納する、セルの負荷情報保持テーブルと、負荷情報に基づいて、各セルの負荷ランクを判定するセルの負荷判定部と、負荷ランクに基づいて、負荷を減らすべきセルと、負荷を増やすべきセルを判定するハンドオーバ先セル、ハンドオーバ元セル決定部と、負荷を減らすべきセルと負荷を増やすべきセルのハンドオーバ条件を変更するハンドオーバオフセット値決定部と、変更したハンドオーバ条件を、直接または他の装置を介して基地局に通知するためのインタフェースと、を有する。
【００１６】
本発明の他の一側面は、上記の各部または処理が実行する手順をハードウェアに実行させるためのプログラム、あるいは、このプログラムを記録したコンピュータ読み取り可能な記録媒体である。
【発明の効果】
【００１７】
本発明によれば、無線通信システムにおいて、負荷分散の効果を向上させる事を可能にする。上記した以外の課題、構成、及び効果は、以下の実施形態の説明により明らかにされる。
【図面の簡単な説明】
【００１８】
【図１】実施例のＥ−ＵＴＲＡＮ無線通信システムの一例の構成図
【図２】実施例の負荷分散制御装置の構成例を示すブロック図
【図３】実施例の基地局の構成例を示すブロック図
【図４】負荷分散制御装置がセルの負荷を判定し、ハンドオーバオフセット値を算出して、基地局に設定をする手順のシーケンス図
【図５】負荷分散制御装置で管理される負荷分散エリア情報保持テーブルを示す表図
【図６】負荷分散対象セル判定処理を説明するフロー図
【図７】隣接セルの隣接セル判定処理を説明するフロー図
【図８】負荷分散制御装置で管理されるセルの負荷ランク決定テーブルを示す表図
【図９】負荷分散制御装置で管理されるセルの負荷情報保持テーブルを示す表図
【図１０】セルの負荷情報更新とセルの負荷判定処理を説明するフロー図
【図１１】セルの負荷判定処理の第１の方法を説明するフロー図
【図１２】セルの負荷判定処理の第２の方法を説明するフロー図
【図１３】セルの負荷判定処理の第３の方法を説明するフロー図
【図１４】ハンドオーバ先セル、ハンドオーバ元セル判定処理を説明するフロー図
【図１５】ハンドオーバオフセット値決定処理を説明するフロー図
【図１６】負荷分散制御装置で管理されるランク差によるハンドオーバオフセット決定テーブルを示す表図
【図１７】負荷分散制御装置で管理されるハンドオーバオフセット値保持テーブルを示す表図
【図１８】負荷分散制御装置で管理されるセル数によるオフセット値決定テーブルを示す表図
【図１９】負荷分散効果判定処理を説明するフロー図
【図２０】負荷分散効果の判定の第１の方法を説明するフロー図
【図２１】負荷分散効果の判定の第２の方法を説明するフロー図
【図２２】負荷分散効果の判定の第３の方法を説明するフロー図
【図２３】ハンドオーバオフセット値再算出処理の第１の方法を説明するフロー図
【図２４】ハンドオーバオフセット値再算出処理の第２の方法を説明するフロー図
【図２５】負荷分散ピンポンの発生を抑止した負荷分散の効果の説明する概念図
【図２６】隣接セルの隣接セルへの負荷分散も考慮した負荷分散の効果を説明する概念図
【発明を実施するための形態】
【００１９】
実施の形態について、図面を用いて詳細に説明する。ただし、本発明は以下に示す実施の形態の記載内容に限定して解釈されるものではない。本発明の思想ないし趣旨から逸脱しない範囲で、その具体的構成を変更し得ることは当業者であれば容易に理解される。
【００２０】
以下に説明する発明の構成において、同一部分又は同様な機能を有する部分には同一の符号を異なる図面間で共通して用い、重複する説明は省略することがある。
【００２１】
本明細書等における「第１」、「第２」、「第３」などの表記は、構成要素を識別するために付するものであり、必ずしも、数または順序を限定するものではない。また、構成要素の識別のための番号は文脈毎に用いられ、一つの文脈で用いた番号が、他の文脈で必ずしも同一の構成を示すとは限らない。また、ある番号で識別された構成要素が、他の番号で識別された構成要素の機能を兼ねることを妨げるものではない。
【００２２】
図面等において示す各構成の位置、大きさ、形状、範囲などは、発明の理解を容易にするため、実際の位置、大きさ、形状、範囲などを表していない場合がある。このため、本発明は、必ずしも、図面等に開示された位置、大きさ、形状、範囲などに限定されない。
【００２３】
以下の実施例では、負荷分散制御装置、または基地局監視装置は、負荷分散制御対象エリア内の全基地局の同一の時間帯の負荷情報を収集し、負荷分散対象エリア内の各基地局の負荷を判別する。負荷の判別結果から負荷分散元基地局（負荷が高い基地局）と、負荷分散先基地局（負荷が低い基地局）を負荷分散元基地局のＮＣＬだけでは無く、負荷分散制御対象エリア内の基地局を対象として決定する。１つの負荷分散先基地局に複数の負荷分散元基地局が存在する場合は、負荷分散ピンポンを抑制するハンドオーバパラメータを算出した上で、各基地局にハンドオーバパラメータを設定する事を特長とする。以下本実施例の形態については、Ｅ−ＵＴＲＡＮを例として、図面を用いて説明する。以下でセルとは、基地局から送信される無線信号が受信可能なエリアであり、移動体端末はいずれか一つのセルに所属してデータ通信を行うものとする。基地局は、１つないし複数のセルに対応する送受信機を具備する。また、隣接セルとは、あるセルに対して、周辺に存在する、同一の基地局の傘下の別のセルを含むものとし、必ずしも地理的に隣接しているセルである必要はない。
【００２４】
図１は、Ｅ−ＵＴＲＡＮ無線システムの構成例を示している。無線システムは、図１に示す様に複数の基地局と複数の移動体端末、基地局監視装置、負荷分散制御装置およびコアネットワーク装置から構成される。図１のシステムにおいて、セル１０１Ａ〜１０４Ａはそれぞれの基地局１０１〜１０４と無線接続により、接続する移動体端末１１１〜１１４が通信可能な範囲を示している。基地局のセル半径は、各基地局の運用形態、利用周波数、セル配置等の要因により決定される。たとえば、広いエリアをカバーするためのマクロ基地局のセル半径は大きくなり、小さいエリアをカバーするフェムト基地局のセル半径は小さくなる。また、図１の１０１Ｂ〜１０１Ｄ、１０２Ｂ〜１０２Ｄ、１０３Ｂ〜１０３Ｄのように、各基地局は、周波数の利用効率を上げるために複数のセルを持つことがある。一方、基地局１０４の様に、通信カバーエリアが小さい基地局等は単一のセルのみを持つこともある。
【００２５】
図１の基地局１０１〜１０４は、ＮＷ（Ｎｅｔｗｏｒｋ）１２４を通じ、例えば有線回線によって基地局監視装置１２１、負荷分散制御装置１２２、コアネットワーク装置１２３に接続される。図１において、移動体端末１１１は基地局１０１に、移動体端末１１２は基地局１０２に、移動体端末１１３は基地局１０３に、移動体端末１１４は基地局１０４に、それぞれ無線によって接続することで通信が可能となる仕組みになっている。なお、これ以降の説明において、基地局とは、基地局１０１〜１０４の少なくともいずれか１つを示し、移動体端末とは移動体端末１１１〜１１４のいずれか１つを示すものとする。
【００２６】
本実施例の基地局監視装置１２１、負荷分散制御装置１２２、コアネットワーク装置１２３、基地局１０１〜１０４、移動体端末１１１〜１１４は、例えば、規模の違いはあるが、情報処理装置（コンピュータ）としての機能を備える。情報処理装置は、処理装置（プロセッサ）、記憶装置（メモリ）、入力装置、および出力装置を備えている。
【００２７】
本実施例では計算や制御等の機能は、記憶装置に格納されたプログラムが処理装置によって実行されることで、定められた処理を他のハードウェアと協働して実現することができる。情報処理装置などが実行するプログラム、その機能、あるいはその機能を実現する手段を、「機能」、「手段」、「部」、「ユニット」、「モジュール」等と呼ぶ場合がある。
【００２８】
また、以後の説明では「〜テーブル」、「〜リスト」、「〜ＤＢ（Ｄａｔａｂａｓｅ）」、「〜キュー」、「情報」等の表現にて本実施例の構成を説明するが、これらは等価な情報である限り、テーブル、リスト、ＤＢ、キュー、等のデータ構造以外で表現されていてもよい。
【００２９】
また、各情報の内容を説明する際に、「識別情報」、「識別子」、「名」、「名前」、「ＩＤ（ＩＤｅｎｔｉｆｉｃａｔｉｏｎ）」という表現を用いるが、これらについては互いに置換が可能である。
【００３０】
以後の説明では便宜上「〜部」を主語として説明を行う場合があるが、上述のように「〜部」は処理装置によってプログラムが実行されることで、定められた処理をハードウェアを用いながら行う主体であるため、プログラムを主語とした説明としてもよい。各種プログラムは、プログラム配布サーバや、計算機が読み取り可能な記憶メディアによって負荷分散装置、基地局、移動体端末、基地局監視装置にインストールされてもよい。この場合、プログラム配布サーバは、処理装置と記憶資源を含み、記憶資源はさらに配布プログラムと配布対象であるプログラムを記憶する。そして、配布プログラムを処理装置が実行することで、プログラム配布サーバの処理装置は、配布対象のプログラムを他の計算機に配布することができる。
【００３１】
図２は、本発明を実施するための負荷分散制御装置の構成例を示しており、図１に示している負荷分散制御装置１２２の一例である。図２において、負荷分散制御装置１２２は、メモリ２０１、ＣＰＵ２０２、基地局と基地局制御装置と有線通信を行うための有線インタフェース２０３、論理回路２０４を備えている。
【００３２】
メモリ２０１は、負荷分散エリア情報保持テーブル２２１、セルの負荷情報保持テーブル２２２、セルの負荷ランク決定テーブル２２３、ランク差によるハンドオーバオフセット値決定テーブル２２４、セル数によるオフセット値決定テーブル２２５、ハンドオーバオフセット値保持テーブル２２６を含む。
【００３３】
負荷分散エリア情報保持テーブル２２１は、負荷分散エリア内の基地局から送信されるＮＣＬ（Ｎｅｉｇｈｂｏｒ  Ｃｅｌｌ  Ｌｉｓｔ）に登録されているセル情報を格納する。
【００３４】
セルの負荷情報保持テーブル２２２は、負荷分散エリア内の各基地局から送信される各セルの負荷情報、および負荷分散制御装置１２２が算出する各セルの負荷ランク情報を格納する。
【００３５】
セルの負荷ランク決定テーブル２２３は、各基地局から送信される各セルの負荷情報から負荷ランクを決定するための情報を格納する。
【００３６】
ランク差によるハンドオーバオフセット値決定テーブル２２４は、ハンドオーバ元セル（負荷を減らすべきセル）とハンドオーバ先セル（負荷を増やすべきセル）の負荷ランク差からハンドオーバオフセット値を決定する情報を格納する。
【００３７】
セル数によるオフセット値決定テーブル２２５は、同一ハンドオーバ先セルに対して、複数のハンドオーバ元セルが存在する場合のハンドオーバ元セル数に対するオフセット値を格納する。
【００３８】
ハンドオーバオフセット値保持テーブル２２６は、負荷分散処理によって、ハンドオーバオフセット値が変更されるハンドオーバ元セル、ハンドオーバ先セルのハンドオーバオフセット値を格納する。
【００３９】
ＣＰＵ２０２は、送信データ処理部２１１、受信データ処理部２１２、負荷分散対象セル判定部２１３、セルの負荷判定部２１４、ハンドオーバ先セル、ハンドオーバ元セル決定部２１５、ハンドオーバオフセット値決定部２１６、ハンドオーバオフセット値設定処理部２１７、負荷分散効果判定部２１８を含む。
【００４０】
送信データ処理部２１１は、基地局へ送信するデータ、及び基地局制御装置に送信するデータを処理する。受信データ処理部２１２は、基地局から受信するデータを処理する。
【００４１】
負荷分散対象セル判定部２１３は、負荷分散エリア内の各基地局から送信されるＮＣＬに負荷分散エリア内のセルが含まれるか否かを判定し、負荷分散エリア内のセル識別子を負荷分散エリア情報保持テーブル２２１に格納する。
【００４２】
セルの負荷判定部２１４は、セルの負荷情報保持テーブル２２２に格納されている値と、セルの負荷ランク決定テーブルに格納されている値を比較し、セルの負荷ランクを判定する。
【００４３】
ハンドオーバ先セル、ハンドオーバ元セル決定部２１５は、負荷分散エリア情報保持テーブル２２１と、セルの負荷情報保持テーブル２２２の値を比較し、ハンドオーバ先セル、ハンドオーバ元セルを決定する。
【００４４】
ハンドオーバオフセット値決定部２１６は、ランク差によるハンドオーバオフセット値決定テーブル２２４と、セル数によるオフセット値決定テーブル２２５に格納されている値を用いて、ハンドオーバ先セルとハンドオーバ元セルのハンドオーバオフセット値を決定し、ハンドオーバオフセット値保持テーブル２２６に格納する。
【００４５】
ハンドオーバオフセット値設定処理部２１７は、ハンドオーバオフセット値保持テーブル２２６に格納されている値を用いて、基地局のハンドオーバパラメータを算出し、基地局制御装置に送信をする処理をする。
【００４６】
負荷分散効果判定部２１８は、負荷分散処理前と、負荷分散処理後の負荷分散エリアの各セルの負荷ランク値を比較し、負荷分散効果のを判定し、負荷分散効果が無い、低い、あるいは限定的と判定した場合は、ハンドオーバオフセット値の再算出を行う。
【００４７】
図３は、本発明を実施するための基地局装置の構成例を示しており、図１に示している基地局の一例である。ここでは、基地局１０１を例にとるが、他の基地局も同様の構成でよい。図３において、基地局装置は、メモリ３０１、ＣＰＵ３０２、移動体端末と無線通信を行うための無線インタフェース３０３、誤り訂正符号化などを行う論理回路３０４、基地局監視装置、負荷分散制御装置、コアネットワーク装置、隣接基地局と有線通信を行うための有線インタフェース３０５を備えている。
【００４８】
メモリ３０１は、負荷情報保持テーブル３２１、隣接セル情報保持テーブル３２２を含む。負荷情報保持テーブル３２１は、負荷情報収集部３１３で判定した各セルの負荷情報を格納する。隣接セル情報保持テーブル３２２は、隣接セル判定部３１４で判定した隣接セルの情報を格納する。
【００４９】
ＣＰＵ３０２は、送信データ処理部３１１、受信データ処理部３１２、負荷情報収集部３１３、隣接セル判定部３１４を含む。送信データ処理部３１１は、移動体端末、基地局監視装置、負荷分散制御装置、コアネットワーク装置、隣接基地局へ送信するデータを処理する。受信データ処理部３１２は、移動体端末、基地局管理装置、コアネットワーク装置、隣接基地局から受信されるデータを処理する。負荷情報収集部３１３は、自基地局配下の各セルの負荷情報を収集し、負荷情報保持テーブル３２１に格納する。隣接セル判定部３１４は、自基地局は以下の各セルの隣接セル情報を移動体端末から収集し、隣接セル情報保持テーブル３２２に格納する。
【００５０】
図１の無線システムにおいて、基地局１０１〜１０４は各基地局配下のセルの負荷情報、および隣接セルの情報を収集し、負荷分散制御装置１２２に送信する。負荷分散制御装置１２２は、各セルの負荷情報、および隣接セル情報から各セルの負荷分散ハンドオーバオフセット値を算出し、基地局監視装置１２１へ送信する。基地局監視装置１２１は、基地局１０１〜１０４に対して、負荷分散ハンドオーバオフセット値を設定する。
【００５１】
図４のシーケンス図を用いて、基地局１０１〜１０４が各基地局配下のセルの負荷情報、および隣接セルの情報を収集し、負荷分散制御装置１２２に送信した後に、負荷分散制御装置１２２が、各セルの負荷情報、および隣接セル情報から各セルの負荷分散ハンドオーバオフセット値を算出し、基地局監視装置１２１へ送信し、基地局監視装置１２１が、基地局１０１〜１０４に対して、負荷分散ハンドオーバオフセット値を設定する処理について説明する。
【００５２】
図４は、負荷分散制御装置１２２がセルの負荷を判定し、ハンドオーバオフセット値を算出して、基地局１０１〜１０３に設定をする手順を示す図である。まず、シーケンス４０１において、基地局１０１〜１０３は、隣接セル判定部３１４にて、自基地局配下の各セルの隣接セルを判定し、シーケンス４０２において、基地局１０１〜１０３は、自基地局配下の各セルの隣接セル情報を負荷分散制御装置１２２に送信する。この例では、基地局は３つであるが、もちろん基地局の数はさらに多くてもよい。
【００５３】
基地局１０１〜１０３が行う、自基地局配下の各セルの隣接セルの判別方法として、基地局１０１〜１０３に接続する移動体端末がハンドオーバを行ったセルの情報を用いて判別しても良いし、基地局１０１〜１０３にあらかじめ隣接セル情報を設定しておいても良い。基地局１０１〜１０３の隣接セルの情報を受信した負荷分散制御装置１２２は、シーケンス４０３において、負荷分散対象セル判別部２１３にて、負荷分散対象セルの判別を行い、負荷分散エリア情報保持テーブル２２１に負荷分散エリア内のセルのセル識別子と、当該セルの負荷分散エリア内の隣接セル情報、および当該セルの隣接セルの隣接セルのセル識別子を格納する。本例では、１つのセル識別子に対して、隣接セル、および隣接セルの隣接セルまでの情報を格納し、処理をしているが、隣接セルの隣接セルの情報まででは無く、さらにｎ個先の隣接セルの情報を使っても良い。
【００５４】
図５は、負荷分散エリア情報保持テーブル２２１の例を示している。同図において、負荷分散制御装置１２２は、負荷分散エリアに含まれるセルのセル識別子５０１それぞれについて、隣接セルのセル識別子５０２、隣接セルの隣接セルのセル識別子５０３の情報を格納する。
【００５５】
図６は、負荷分散制御装置１２２が負荷分散対象セル判別部２１３で行う負荷分散対象セル判別処理４０３を示すフロー図である。図６のフロー６０１において、負荷分散制御装置１２２は、各基地局から隣接セル情報を受信すると、各セルの隣接セル情報に負荷分散エリア内のセル以外のセルが含まれるか否かを判定する。各セルの隣接セル情報に負荷分散エリア内のセル以外のセルが含まれる場合（６０１のＹＥＳ）、フロー６０２において、当該セルのセル情報を破棄する。各セルの隣接セル情報に負荷分散エリア内のセル以外のセルが含まれない場合（６０１のＮＯ）、当該セルのセル情報は破棄しない。その後、各セルのセル識別子、及び各セルの隣接セルのセル識別子をそれぞれ負荷分散エリア情報保持テーブル２２１（図５）のセル識別子５０１と、隣接セルのセル識別子５０２に格納する。その後フロー６０４において、各セルの隣接セルの隣接セル判定処理を行う。
【００５６】
図７は、各セルの隣接セルの隣接セル判定処理６０４を行うフロー図である。図７のフロー７０１において、負荷分散対象セル判別部２１３は、負荷分散エリアテーブル情報保持テーブル２２１（図５）の隣接セルのセル識別子５０２が更新されたか否かを判定する。負荷分散エリアテーブル情報保持テーブル２２１の隣接セルのセル識別子５０２が更新されている場合（７０１のＹＥＳ）、フロー７０２において、更新されたセルを隣接セルとしているセルについて、更新されたセルの隣接セルには存在するが、更新されたセルの隣接セルとしているセルの隣接セルには含まれないセルが存在するか否かを判定する。更新されたセルを隣接セルとしているセルについて、更新されたセルの隣接セルには存在するが、更新されたセルの隣接セルとしているセルの隣接セルには含まれないセルが存在する場合（７０２のＹＥＳ）、フロー７０３において、当該セルのセル識別子情報が、更新されたセルを隣接セルとしているセルの隣接セルの隣接セルのセル識別子に存在しないか否かを判定する。当該セルのセル識別子情報が、更新されたセルを隣接セルとしているセルの隣接セルの隣接セルのセル識別子に存在しない場合（７０３のＹＥＳ）、当該セルのセル識別子を負荷分散エリア情報保持テーブル２２１の隣接セル情報が更新されたセルの隣接セルの隣接セルのセル識別子５０３に格納する。
【００５７】
図５〜図７で説明した構成により、負荷分散制御装置１２２は、例えば図１に概念を示すような、負荷分散対象となるセルの配置に関する情報を入手する。なお、以上の実施例では、各基地局からの情報を負荷分散制御装置１２２が受信して（処理４０２）、負荷分散エリア情報保持テーブル２２１を生成しているが、基地局の設置時の設定データなどに基づき作成したセルのマップを、オペレータが負荷分散制御装置１２２に直接入力してもよい。また、図５のテーブルで表現されるセルのマップは、あるセルに対して隣接セルの隣接セルの配置まで把握しているが、隣接セルの隣接セルのさらに隣接セルまで把握してもよい。
【００５８】
その後、シーケンス４０４（図４）において、基地局１０１〜１０３は、隣接セル判定部３１３にて、自基地局配下の各セルの負荷情報を収集し、シーケンス４０５において、基地局１０１〜１０３は、自基地局配下の各セルの負荷情報を負荷分散制御装置１２２に送信する。基地局１０１〜１０３が行う負荷情報の収集、および送信で収集、送信する負荷情報として、無線リソース使用率、有線リソース使用率、接続移動体端末数のうち１つを収集、送信しても良いし、複数の情報を収集、送信しても良い。また、これ以外の負荷状態を反映した情報を、負荷情報として用いてもよい。これらの負荷情報は、商用の無線基地局が、配下の端末を制御するために通常収集している情報である。
【００５９】
基地局１０１〜１０３の負荷情報を受信した負荷分散制御装置１２２は、シーケンス４０６において、セルの負荷判定部２１４にて、セルの負荷ランク決定テーブル２２３を用いて、各セルの負荷情報から負荷ランクを決定し、各セルの負荷情報、および負荷ランク情報をセルの負荷情報保持テーブル２２２に格納する。
【００６０】
図８は、負荷分散制御装置１２２が保持する、セルの負荷ランク決定テーブル２２３の例を示している。同図において、負荷分散制御装置１２２は、無線リソース使用率８０２、有線リソース使用率８０３、および接続移動体端末数８０４それぞれに応じたセルの負荷ランク８０１の情報を保持する。図８の例では、セルの負荷ランク８０１は、数値が大きいほうが、当該セルの負荷が大きいことを示している。
【００６１】
図９は、負荷分散制御装置１２２が保持する、セルの負荷情報保持テーブル２２２の例を示している。同図において、負荷分散制御装置１２２は、負荷分散エリア内のセル識別子９０１それぞれに対して、基地局が送信してくる各セルの無線リソース使用率９０２、有線リソース使用率９０３、接続移動体端末数９０４、セルの負荷判定部２１４で決定する各セルの負荷ランク９０５、および負荷分散処理後に、負荷分散効果判定部２１８で決定する負荷分散後のセルの負荷ランク９０６の情報を格納する。
【００６２】
セルの負荷判定部２１４で行う、セルの負荷ランク決定テーブル２２３を用いて、各セルの負荷情報から負荷ランクを決定し、各セルの負荷情報、および負荷ランク情報をセルの負荷情報保持テーブル２２２に格納する処理を、フロー図１０〜図１３を用いて説明する。
【００６３】
図１０は、セルの負荷判定処理４０６において、セルの負荷情報更新とセルの負荷判定処理を行うフロー図である。図１０のフロー１００１において、各基地局からの負荷の情報の通知（４０５）を受けると、セルの負荷判定部２１４は、負荷分散情報に含まれるセルの中に負荷分散エリア外のセルが含まれるか否かを判定する。負荷分散情報に含まれるセルの中に負荷分散エリア外のセルが含まれる場合（１００１のＹＥＳ）、フロー１００２において、負荷分散エリアに含まれないセルの情報を破棄する。負荷分散情報に含まれるセルの中に負荷分散エリア外のセルが含まれない場合（１００１のＮＯ）、セルの情報は破棄しない。その後、フロー１００３において、負荷分散エリアに含まれるセルについて、セルの負荷情報保持テーブル２２２の無線リソース使用率、有線リソース使用率、接続移動体端末数の情報を更新し、フロー１００４において、各セルの負荷判定処理を行う。
【００６４】
図１１は、図１０のフロー４０６で行う、セルの負荷判定処理１００４の第１の方法を示すフロー図である。第１の方法では、負荷分散制御装置１２２が、基地局１０１〜１０３から通知される負荷情報の無線リソース使用率を使って各セルの負荷判定処理を行う。図１１のフロー１１０１において、セルの負荷情報保持テーブル２２２（図９）の負荷情報を通知して来たセルの無線リソース使用率９０２と、セルの負荷ランク決定テーブル２２３（図８）の無線リソース使用率８０２を比較し、各セルの負荷ランクを負荷ランク決定テーブル２２３から決定する。その後、フロー１１０２において、セルの負荷情報保持テーブル２２２のセルの負荷ランク９０６を更新する。
【００６５】
フロー１１０１で行う、負荷ランクの決定方法の例を図８、図９を使って説明する。図９のセル識別子９０１のＡの無線リソース使用率９０２は、６５％である。図８の無線リソース使用率８０２を参照すると、無線リソース使用率６５％は、セルの負荷ランク８０１の７に相当する。したがって、セル識別子９０１のＡのセルの負荷ランクは、７と判定し、当該情報により図９のセルの負荷ランク９０５を７に更新する。図１１の様に、無線リソース使用率を用いてセルの負荷ランクを決定することで、周波数帯域が異なる各セルの負荷を相対的に判別することが可能となる。
【００６６】
図１２は、図１０のフロー４０６で行う、セルの負荷判定処理１００４の第２の方法を示すフロー図である。第２の方法では、負荷分散制御装置１２２が、基地局１０１〜１０３から通知される負荷情報の有線リソース使用率を使って各セルの負荷判定処理を行う。図１２のフロー１２０１において、セルの負荷情報保持テーブル２２２（図９）の負荷情報を通知して来たセルの有線リソース使用率９０３と、セルの負荷ランク決定テーブル２２３（図８）の有線リソース使用率８０３を比較し、各セルの負荷ランクを負荷ランク決定テーブル２２３から決定する。その後、フロー１２０２において、セルの負荷情報保持テーブル２２２のセルの負荷ランク９０５を更新する。
【００６７】
フロー１２０１で行う、負荷ランクの決定方法の例を図８、図９を使って説明する。図９のセル識別子９０１のＡの有線リソース使用率９０３は、６９％である。図８の有線リソース使用率８０３を参照すると、有線リソース使用率６９％は、セルの負荷ランク８０１の７に相当する。したがって、セル識別子９０１のＡのセルの負荷ランクは、７と判定し、当該情報により図９のセルの負荷ランク９０５を７に更新をする。図１２の様に、有線リソース使用率を用いてセルの負荷ランクを決定することで、同じバックホールリソースを使用する各セルの負荷を相対的に判別することが可能となる。
【００６８】
図１３は、図１０のフロー４０６で行う、セルの負荷判定処理１００４の第３の方法を示すフロー図である。第３の方法では、負荷分散制御装置１２２が、基地局１０１〜１０３から通知される負荷情報の接続移動体端末数を使って各セルの負荷判定処理を行う。図１３のフロー１３０１において、セルの負荷情報保持テーブル２２２（図９）の負荷情報を通知して来たセルの接続移動体端末数９０４と、セルの負荷ランク決定テーブル２２３（図８）の接続移動体端末数８０４を比較し、各セルの負荷ランクを負荷ランク決定テーブル２２３から決定する。その後、フロー１３０２において、セルの負荷情報保持テーブル２２２のセルの負荷ランク９０５を更新する。
【００６９】
フロー１３０１で行う、負荷ランクの決定方法の例を図８、図９を使って説明する。図９のセル識別子９０１のＡの接続移動体端末数９０４は、３２０台である。図８の接続移動体端末数８０４を参照すると、接続移動体端末数３２０台は、セルの負荷ランク８０１の７に相当する。したがって、セル識別子９０１のＡのセルの負荷ランクは、７と判定し、当該情報を図９のセルの負荷ランク９０５を７に更新をする。図１３の様に、接続移動体端末数を用いてセルの負荷ランクを決定することで、メモリ量、セッション量、基地局のバッファ量等を推定したハードウェアリソースを考慮して各セルの負荷を判別することが可能となる。
【００７０】
図１１〜１３では、それぞれ負荷情報として、無線リソース、有線リソース、接続移動体端末数から負荷情報を判別しているが、その他の情報を使って負荷の判別をしても良い。また、図１１〜１３では、それぞれ無線リソース、有線リソース、接続移動体端末数の数値を個別に判定し、負荷ランクを決定しているが、複数の情報を組み合わせて負荷ランクを決定しても良い。また、組み合わせる際に所定の重み付けをおこなってもよい。
【００７１】
各セルのシーケンス４０６でセルの負荷判定を行った負荷分散制御装置１２２は、シーケンス４０７において、負荷分散エリア情報保持テーブル２２１と、セルの負荷情報保持テーブル２２２の情報を用いて、ハンドオーバ先セル、ハンドオーバ元セル決定部２１４にて、ハンドオーバ先セル、ハンドオーバ元セル判定を行い、判定したハンドオーバ先セルとハンドオーバ元セルのセル識別子をハンドオーバオフセット値保持テーブル２２６に格納する。
【００７２】
図１４は、ハンドオーバ先セル、ハンドオーバ元セル判定処理４０７を行うフロー図である。図１４のフロー１４０１において、負荷分散制御装置１２２は、ハンドオーバ先セル、ハンドオーバ元セル決定部２１４にて、セルの負荷情報テーブル２２２（図９）にセルの負荷ランク９０５が一定値以上のセルが存在するか否かを判別する。セルの負荷情報テーブル２２２にセルの負荷ランク９０５が一定値以上のセルが存在する場合（１４０１のＹＥＳ）、フロー１４０２において、セルの負荷ランクが一定値以上のセルをハンドオーバ元セル候補として決定する。
【００７３】
その後、フロー１４０３において、負荷分散エリア情報保持テーブル２２１（図５）と、セルの負荷情報保持テーブル２２２（図９）を参照し、ハンドオーバ元セル候補の隣接セル、またはハンドオーバ元セル候補の隣接セルの隣接セルに、ハンドオーバ元セルの負荷ランクより一定値以下の負荷ランクのセルが存在するか否かを判別する。
【００７４】
ハンドオーバ元セル候補の隣接セル、またはハンドオーバ元セル候補の隣接セルの隣接セルにハンドオーバ元セルの負荷ランクより一定値以下の負荷ランクのセルが存在する場合（１４０３のＹＥＳ）、ハンドオーバ元セル候補の負荷ランクより一定値以下の負荷ランクのセルをハンドオーバ先セルと決定し、ハンドオーバ元セル候補セルをハンドオーバ元セルと決定する。そして、決定したハンドオーバ先セルとハンドオーバ元セルのセル識別子により、ハンドオーバオフセット値保持テーブル２２６のハンドオーバ先セルのセル識別子１７０２とハンドオーバ元セルのセル識別子１７０１を更新する（ハンドオーオフセット値保持テーブル２２６については後に図１７で説明）。
【００７５】
セルの負荷情報テーブル２２２にセルの負荷ランク９０５が一定値以上のセルが存在しない場合（１４０１のＮＯ）、およびハンドオーバ元セル候補の隣接セル、またはハンドオーバ元セル候補の隣接セルの隣接セルにハンドオーバ元セルの負荷ランクより一定値以下の負荷ランクのセルが存在しない場合（１４０３のＮＯ）、処理を行わない。
【００７６】
その後、シーケンス４０８において、負荷分散制御装置１２２は、ハンドオーバオフセット値決定部２１６において、セルの負荷情報保持テーブル２２２（図９）のセルの負荷ランク９０５と、ランク差によるハンドオーバオフセット値決定テーブル２２４（後に図１６で説明）と、セル数によるオフセット値決定テーブル２２５（後に図１８で説明）の値を用いて、ハンドオーバオフセット値決定部２１６にて、各セルのハンドオーバオフセット値を決定し、ハンドオーバオフセット値保持テーブル２２６（後に図１７で説明）にハンドオーバ元セル、ハンドオーバ先セルのハンドオーバオフセット値を格納する。
【００７７】
図１５は、ハンドオーバオフセット値決定処理４０８を行うフロー図である。図１に示すような無線システムでは、各端末は所定の条件（ハンドオーバパラメータ）に従って、接続先の基地局を切り替える（ハンドオーバ）。基地局に設定するハンドオーバの式として、例えば、以下のMeasurement Report Event A3がある。    
Serving Cellの受信電力(dBm) ＋ offset(dBm) ＜ Neighbor Cellの受信電力
(dBm)
【００７８】
ここで、Serving Cellとは、端末が接続してるセルであり、Neighbor Cellとは、Serving Cellに隣接するセルである。
【００７９】
本実施例では、各基地局が有するハンドオーバパラメータに対して、負荷分散制御装置１１２がオフセットを設定することにより、ハンドオーバの条件を制御し、セルの負荷を分散する。図１５のフロー１５０１において、負荷分散制御装置１２２は、ハンドオーバオフセット値決定部２１６にて、ハンドオーバオフセット値保持テーブル２２６に格納されているハンドオーバ元のセル識別子と、ハンドオーバ先セルのセル識別子の負荷ランク差と、負荷ランク差によるハンドオーバオフセット値決定テーブル２２４から、ハンドオーバ先セルとハンドオーバ元セルのハンドオーバオフセット値の仮値を決定する（ハンドオーバオフセット値保持テーブル２２６については後述）。ハンドオーバオフセット値は、負荷が重いセルから負荷が軽いセルへハンドオーバがされやすい方向に、ハンドオーバパラメータを制御する。フロー１５０１で行う、ハンドオーバオフセット値の仮値の決定方法の例を図９、図１６、図１７を使って説明する。
【００８０】
図１６は、ランク差によるハンドオーバオフセット決定テーブル２２４の例を示している。同図において、負荷分散制御装置１２２は、セルの負荷ランク差１６０１、セルの負荷ランク差に応じた、ハンドオーバ元セルのハンドオーバオフセット値１６０２、およびハンドオーバ先セルのハンドオーバオフセット値１６０３を保持する。図１６から理解されるように、セルの負荷ランク差が大きいほど、オフセット値が大きく設定され、ハンドオーバがされやすくなる。
【００８１】
図１７は、ハンドオーバオフセット値保持テーブル２２６の例を示している。同図において、負荷分散制御装置１２２は、ハンドオーバ元セルのセル識別子１７０１、ハンドオーバ元セルのセル識別子１７０１に対する、ハンドオーバ先セルのセル識別子１７０２を保持する。また、ハンドオーバ元セルのセル識別子１７０１、ハンドオーバ先セルのセル識別子１７０２の組合せ毎に、ハンドオーバ先セルのハンドオーバオフセット値の仮値１７０３、ハンドオーバ元セルのハンドオーバオフセット値の仮値１７０４、ハンドオーバ先セルのハンドオーバオフセット値１７０５、ハンドオーバ元セルのハンドオーバオフセット値１７０６を保持する。
【００８２】
ハンドオーバオフセット保持テーブル２２６のハンドオーバ元セルのセル識別子１７０１のＣと、ハンドオーバ先セルのセル識別子１７０２のＢを例として説明する。ハンドオーバオフセット保持テーブル２２６のハンドオーバ元セルのセル識別子１７０１のＣの負荷ランクは、セルの負荷情報保持テーブル２２２のセルの負荷ランク９０５より、９と判定できる。同様に、ハンドオーバオフセット保持テーブル２２６のハンドオーバ先セルのセル識別子１７０１のＢの負荷ランクは、６と判定できる。よって、ハンドオーバオフセット保持テーブル２２６のハンドオーバ元セルのセル識別子１７０１のＣと、ハンドオーバ元セルのセル識別子１７０２のＢのランク差は、以下の計算によって、３と計算できる。  
セルの負荷ランク差 ＝  セルＣの負荷ランク  −  セルＢの負荷ランク
【００８３】
上記式で計算をしたセルの負荷ランク差と、ランク差によるハンドオーバオフセット値決定テーブル２２４（図１６）を比較して、ハンドオーバオフセット値保持テーブル２２６（図１７）に格納されているハンドオーバ元のセル識別子１７０１と、ハンドオーバ先セルのセル識別子１７０２のハンドオーバオフセット値の仮値を決定する。図１６のランク差によるハンドオーバオフセット決定テーブルのセルの負荷ランク差１６０１より、負荷のランク差が３の場合は、ハンドオーバ元セルのハンドオーバオフセット値１６０２は、１．０、ハンドオーバ先セルのハンドオーバオフセット値１６０３は、−１．０と判定できる。このような計算結果より、負荷分散制御装置１２２のハンドオーバオフセット値決定部２１６は、ハンドオーバオフセット値の仮値として、ハンドオーバオフセット値保持テーブル２２６のハンドオーバ先セルのハンドオーバオフセット値の仮値１７０３、ハンドオーバ元セルのハンドオーバオフセット値の仮値１７０４を更新する（１５０１）。
【００８４】
ハンドオーバオフセット値は、ハンドオーバ条件を定めるハンドオーバパラメータにオフセットをかける機能を有する。ハンドオーバパラメータは種々の構成があり、特に限定するものではないが、最も簡単な例として、端末が基地局から受ける信号の受信強度によりハンドオーバ要否を定める例を説明する。例えば、デフォルトの条件では、ハンドオーバパラメータとして、受信強度が１０.０（ここでは簡単のために任意単位とする）より下回った場合に、切り換えるべき他の基地局を検索し、現在のセルから他のセルへのハンドオーバを行うものとする。
【００８５】
図１６の例では、ランク差が３の場合は、ハンドオーバ元セル（負荷を減らすべきセル）のハンドオーバオフセット値１６０２は、１．０、ハンドオーバ先セル（負荷を増やすべきセル）のハンドオーバオフセット値１６０３は、−１．０である。このオフセットにより、例えば受信強度が１１.０（１０.０＋１.０）より下回った場合に、ハンドオーバ元セルから他のセルへのハンドオーバを行い、受信強度が９.０（１０.０−１.０）を下回った場合に、ハンドオーバ先セルから他のセルへのハンドオーバを行ようにする。すなわち、ハンドオーバ元セルからは端末が出ていきやすくなり、ハンドオーバ先セルからは端末が出ていきにくくなる。この作用は、別の言い方をすれば、ハンドオーバ元セルの大きさが小さくなり、ハンドオーバ先セルの大きさが大きくなっているともいえる。このような機能により、ハンドオーバ元セルの負荷が減少し、ハンドオーバ先セルの負荷が増大するような負荷分散制御が行われる。ハンドオーバパラメータとしては、受信電力強度の他、Ｓ／Ｎやエラーレートなど、公知の種々の指標を利用することができる。
【００８６】
その後、フロー１５０２（図１５）において、ハンドオーバ先セルに対して、複数のハンドオーバ元セルが存在するか否かを判定する。ハンドオーバ先セルに対して、複数のハンドオーバ元セルが存在する場合（フロー１５０２のＹＥＳ）、フロー１５０３において、当該ハンドオーバ元セルと当該ハンドオーバ先セルのハンドオーバオフセット値の仮値と、セル数によるオフセット値決定テーブルから、当該ハンドオーバ元セルと当該ハンドオーバ先セルのハンドオーバオフセット値を決定する。
【００８７】
フロー１５０３の処理は、特定のハンドオーバ先セルに対して、複数のハンドオーバ元セルが集中する場合、当該ハンドオーバ先セルに対して負荷が集中しすぎないように、オフセット値を修正するものである。フロー１５０３で行う、ハンドオーバオフセット値の決定方法の例を図１８、図１７を使って説明する。
【００８８】
図１８は、セル数によるオフセット値決定テーブル２２５の例を示している。同図において、負荷分散制御装置１２２は、同一ハンドオーバ先セルに対するハンドオーバ元セル数１８０１と、同一ハンドオーバ先セルに対するハンドオーバ元セル数１８０１に対するオフセット値１８０２を保持する。
【００８９】
ハンドオーバオフセット値保持テーブル２２６（図１７）のハンドオーバ先セルのセル識別子１７０２から、ハンドオーバ先セルに対して、複数のハンドオーバ元セルが存在する組み合わせを検出する。図１７では、ハンドオーバ元セルのセル識別子１７０１のＣ、Ｄ、Ｅがそれぞれハンドオーバ先セルのセル識別子１７０２のＪとしていることより、ハンドオーバ元セルのセル識別子１７０１のＣ、Ｄ、Ｅの３つのハンドオーバ先セルがセル識別子１７０２のＪにハンドオーバさせようとしている事が判定できる。
【００９０】
図１８のセル数によるオフセット値決定テーブル２２５を参照すると、同一ハンドオーバ先セルに対するハンドオーバ元セル数が３の場合、オフセット値は０．７と判定できる。図１７では、ハンドオーバ元セルのセル識別子１７０１のＣ、Ｄ、Ｅそれぞれのハンドオーバ先セルのハンドオーバオフセット値の仮値１７０３と、ハンドオーバ先セルのセル識別子１７０２のＪのハンドオーバ元セルのハンドオーバオフセット値の仮値１７０４と、図１８のオフセット値１８０２より、ハンドオーバ元セルのセル識別子１７０１のＣ、Ｄ、Ｅそれぞれのハンドオーバ先セルのハンドオーバオフセット値１７０５と、ハンドオーバ先セルのセル識別子１７０２のＪのハンドオーバ元セルのハンドオーバオフセット値１７０６は、以下の計算によって、それぞれ計算できる。計算の結果、ハンドオーバの元セルのセル識別子１７０１のＣの、ハンドオーバ先セルのセル識別子１７０２のＪに対する、ハンドオーバ先セルのオフセット値は、２．０となる。
【００９１】
ハンドオーバ先セルのハンドオーバオフセット値  ＝
ハンドオーバ先セルのハンドオーバオフセット値の仮値×オフセット値
（ハンドオーバ先セルのハンドオーバオフセット値は、０．５刻みのため、四捨五入を行い、計算をする）
【００９２】
負荷分散制御装置１２２のハンドオーバオフセット値決定部２１６は、上記の様な計算を行い、ハンドオーバオフセット値保持テーブル２２６のハンドオーバ先セルのオフセット値１７０５と、ハンドオーバ元セルのハンドオーバオフセット値１７０６を更新する。
【００９３】
ハンドオーバ先セルに対して、複数のハンドオーバ元セルが存在しない場合（フロー１５０２のＮＯ）、フロー１５０４において、ハンドオーバオフセット値保持テーブル２２６の、ハンドオーバ先セルのハンドオーバオフセット値の仮値１７０３と、ハンドオーバ元セルのハンドオーバオフセット値の仮値１７０４を、ハンドオーバオフセット値と決定し、ハンドオーバ先セルのハンドオーバオフセット値の仮値１７０３を、ハンドオーバ先セルのハンドオーバオフセット値１７０５に、ハンドオーバ元セルのハンドオーバオフセット値の仮値１７０４を、ハンドオーバ元セルのハンドオーバオフセット値１７０６に更新する。
【００９４】
その後、シーケンス４１０において、負荷分散制御装置１２２は、基地局監視装置１２１に対して、基地局１０１〜１０３に設定されているハンドオーバパラメータ値を要求する。基地局１０１〜１０３に設定されているハンドオーバパラメータ値の要求を受信した基地局監視装置１２１は、シーケンス４１１において、負荷分散制御装置１２２に対して、基地局１０１〜１０３に設定されているハンドオーバパラメータ値を通知する。
【００９５】
基地局監視装置１２１が負荷分散制御装置１２２に対して通知するハンドオーバパラメータ値として、例えばＭｅａｓｕｒｅｍｅｎｔ  ＲｅｐｏｒｔのＥｖｅｎｔ  Ａ３のＯｆｆｓｅｔがある。
【００９６】
その後、シーケンス４０９において、負荷分散制御装置１２２は、ハンドオーバオフセット値設定処理部２１７にて、基地局１０１〜１０３に設定されているハンドオーバパラメータと、ハンドオーバオフセット値から、基地局１０１〜１０３に設定するハンドオーバパラメータ値を算出して、基地局監視装置１２１に対してハンドオーバパラメータを通知する。負荷分散制御装置４１５のハンドオーバオフセット値設定処理部は、以下の計算によって基地局１０１〜１０３のハンドオーバ先セル、およびハンドオーバ元セルのハンドオーバパラメータを算出する。
【００９７】
負荷分散制御装置が基地局に設定するハンドオーバ元セルのハンドオーバパラメータ  ＝
基地局に設定されているハンドオーバ先セルに対するハンドオーバパラメータ  
＋  ハンドオーバ元セルのハンドオーバオフセット値
負荷分散制御装置が基地局に設定するハンドオーバ先セルのハンドオーバパラメータ  ＝
基地局に設定されているハンドオーバ元セルに対するハンドオーバパラメータ  
＋  ハンドオーバ先セルのハンドオーバオフセット値
【００９８】
ハンドオーバパラメータ値を受信した、基地局監視装置４１４は、シーケンス４１０にて、基地局４１１〜４１３それぞれにたいして、ハンドオーバパラメータ値を設定する。図４では、負荷分散制御装置１２２が、基地局監視装置１２１を介して、基地局１０１〜１０３のハンドオーバパラメータを設定しているが、負荷分散制御装置１２２が、基地局１０１〜１０３に直接ハンドオーバパラメータを設定しても良い。
【００９９】
その後、シーケンス４１１において、基地局１０１〜１０３は、隣接セル判定部３１３にて、自基地局配下の各セルの負荷情報を収集、判定し、シーケンス４１２において、基地局１０１〜１０３は、自基地局配下の各セルの負荷情報を負荷分散制御装置１２２に送信する。基地局１０１〜１０３の負荷情報を受信した負荷分散制御装置１２２は、シーケンス４１３において、負荷分散効果判定部２１８にて、負荷分散の効果を判定し、負荷分散効果が無い、低い、あるいは限定的と判定した場合、ハンドオーバオフセット値の再算出処理を行う。
【０１００】
負荷分散効果判定部２１８で行う、負荷分散の効果判定処理４１３を、フロー図１９〜２３、図２５を用いて説明する。
【０１０１】
図１９は、負荷分散効果判定処理４１３を行うフロー図である。図１９のフロー１９０１において、負荷分散制御装置１２２は、負荷分散効果判定部２１８にて、基地局１０１〜１０３から受信した負荷情報から、セルの負荷判定部２１４と同様の処理を行い、各セルの負荷ランク判定を行い、セルの負荷情報判定テーブル２２２（図９）の負荷分散後のセルの負荷ランク９０６を更新する。その後、フロー１９０２において、負荷分散効果の判定を行う。
【０１０２】
図２０は、フロー４１３で行う、セルの負荷分散効果判定処理１９０２の第１の方法を示すフロー図である。第１の方法では、負荷分散制御装置１２２が、負荷分散処理前の負荷分散エリア内の一定値以上のセルの負荷ランクの合計値と、負荷分散処理後の負荷分散エリア内の同じセルの負荷ランクの合計値とを比較して、負荷分散効果の判定を行う。負荷分散制御装置１２２は、フロー２００１にて、負荷分散処理前の負荷分散エリア内の一定値以上の負荷ランクのセルの負荷ランクの合計値が負荷分散処理後の同値よりも大きいか否かを判別する。負荷分散処理前の負荷分散エリア内の一定値以上の負荷ランクのセルの負荷ランクの合計値が負荷分散処理後の同値よりも大きい場合（フロー２００１のＹＥＳ）、フロー２００２にて、負荷分散効果があったと判定する。
【０１０３】
負荷分散処理前の負荷分散エリア内の一定値以上の負荷ランクのセルの負荷ランクの合計値が負荷分散処理後の同値よりも小さい場合（フロー２００１のＮＯ）、フロー２００３にて、負荷分散効果が無い、低い、あるいは限定的、と判定する。図２０の様に、負荷分散処理前の負荷分散エリアの一定値以上のセルの負荷ランクを用いて、負荷分散処理前後で比較をして負荷分散の効果を判定することにより、高負荷セルの負荷が低減できたか否かを判別する事が可能となり、高負荷セルに接続する移動体端末のＱｏＥが改善したか否かが判別できる。
【０１０４】
図２１は、フロー４１３で行う、セルの負荷分散効果判定処理１９０２の第２の方法を示すフロー図である。第２の方法では、負荷分散制御装置１２２が、負荷分散処理前の負荷分散エリア内の一定値以下のセルの負荷ランクの合計値と、負荷分散処理後の負荷分散エリア内の同じセルの負荷ランクの合計値とを比較して、負荷分散効果の判定を行う。負荷分散制御装置１２２は、フロー２１０１にて、負荷分散処理前の負荷分散エリア内の一定値以下の負荷ランクのセルの負荷ランクの合計値が負荷分散処理後の同値よりも小さいか否かを判別する。負荷分散処理前の負荷分散エリア内の一定値以下のセルの負荷ランクの合計値が負荷分散処理後の同値よりも小さい場合（フロー２１０１のＹＥＳ）、フロー２１０２にて、負荷分散効果があったと判定する。
【０１０５】
負荷分散処理前の負荷分散エリア内の一定値以下の負荷ランクのセルの負荷ランクの合計値が負荷分散処理後の同値よりも小さい場合（フロー２１０１のＮＯ）、フロー２１０３にて、負荷分散効果が無い、低い、あるいは限定的、と判定する。図２１の様に、負荷分散処理前の負荷分散エリアの一定値以下のセルの負荷ランクを用いて、負荷分散処理前後で比較をして負荷分散の効果を判定することにより、無線リソース利用効率が改善したか否かを判別する事が可能となる。
【０１０６】
図２２は、フロー４１３で行う、セルの負荷分散効果判定処理１９０２の第３の方法を示すフロー図である。第３の方法では、第１の方法と、第２の方法を組み合わせた方法であり、負荷分散制御装置１２２が、負荷分散処理前の負荷分散エリア内の一定値以上のセルの負荷ランクの合計値と、負荷分散処理後の負荷分散エリア内の同じセルの負荷ランクの合計値との比較と、負荷分散処理前の負荷分散エリア内の一定値以下のセルの負荷ランクの合計値と、負荷分散処理後の負荷分散エリア内の同じセルの負荷ランクの合計値との比較をして負荷分散効果の判定を行う。
【０１０７】
負荷分散制御装置１２２は、フロー２２０１にて、負荷分散処理前の負荷分散エリア内の一定値以上の負荷ランクのセルの負荷ランクの合計値が負荷分散処理後の同値よりも大きいか否かを判別する。負荷分散処理前の負荷分散エリア内の一定値以上の負荷ランクのセルの負荷ランクの合計値が負荷分散処理後の同値よりも大きい場合（フロー２２０１のＹＥＳ）、フロー２２０２にて、負荷分散処理前の負荷分散エリア内の一定値以下の負荷ランクのセルの負荷ランクの合計値が負荷分散処理後の同値よりも小さいか否かを判別する。
【０１０８】
負荷分散処理前の負荷分散エリア内の一定値以下のセルの負荷ランクの合計値が負荷分散処理後の同値よりも小さい場合（フロー２２０１のＹＥＳ）、フロー２２０３にて、負荷分散効果があったと判定する。負荷分散処理前の負荷分散エリア内の一定値以上の負荷ランクのセルの負荷ランクの合計値が負荷分散処理後の同値よりも小さい場合（フロー２２０１のＮＯ）、フロー２２０４にて、負荷分散効果が無い、低い、あるいは限定的、と判定する。また、負荷分散処理前の負荷分散エリア内の一定値以下の負荷ランクのセルの負荷ランクの合計値が負荷分散処理後の同値よりも小さい場合（フロー２２０２のＮＯ）、フロー２２０４にて、負荷分散効果が無い、低い、あるいは限定的、と判定する。
【０１０９】
図２２の様に、負荷分散処理前の負荷分散エリアの一定値以上のセルの負荷ランクと、負荷分散処理前の負荷分散エリアの一定値以下のセルの負荷ランクを負荷分散処理前後で比較をして、負荷分散の効果を判定することにより、高負荷セルに接続する移動体端末のＱｏＥが改善したか否かが判別でき、無線リソース利用効率が改善したか否かを判別する事が可能となる。
【０１１０】
その後、フロー２２０３にて、負荷分散効果があったか否かを判定し、負荷分散効果があったと判定された場合（フロー２２０３のＹＥＳ）、ハンドオーバオフセット値の再算出処理は実施しない。負荷分散効果があったと判定されない場合（フロー２２０３のＮＯ）、フロー２２０４にて、ハンドオーバオフセット値の再算出処理を行う。
【０１１１】
図２３は、フロー４１３で行う、ハンドオーバオフセット値の再算出処理１９０４の第１の方法を示すフロー図である。第１の方法では、負荷分散制御装置１２２が、基地局１０１〜１０３のハンドオーバパラメータを、負荷分散処理前のハンドオーバパラメータに戻す。負荷分散制御装置１２２は、フロー２３０１にて、負荷分散エリア内の各基地局のハンドオーバオフセット値を負荷分散処理前の値に戻す事を決定し、基地局監視装置１２１を通して、基地局１０１〜１０３のハンドオーバパラメータを負荷分散処理前のハンドオーバパラメータ値を設定する。また、負荷分散処理前のハンドオーバパラメータ値の設定方法として、負荷分散制御装置１２２が、基地局１０１〜１０３に直接ハンドオーバパラメータを設定しても良い。図２３の様に、負荷分散エリア内の各基地局のハンドオーバパラメータを、負荷分散処理前のハンドオーバパラメータ値に戻す事で、本処理によって劣化してしまったエリアの負荷状況を改善する事が可能となる。
【０１１２】
図２４は、フロー４１３で行う、ハンドオーバオフセット値の再算出処理１９０４の第２の方法を示すフロー図である。第２の方法では、負荷分散制御装置１２２が、負荷分散処理によって、負荷分散処理前に一定値以上の負荷ランクであったセルの負荷タンクが一定値以上、上がってしまったセルに対して、ハンドオーバパラメータを負荷分散処理前のハンドオーバパラメータ値に戻す。負荷分散制御装置１２２は、フロー２４０１にて、負荷分散処理前の負荷分散エリア内の一定値以上の負荷ランクのセルの負荷ランクが、負荷分散処理後に一定値以上上がったセルの、ハンドオーバオフセット値を負荷分散処理前の値に戻す事を決定し、負荷分散エリア内の各基地局のハンドオーバオフセット値を負荷分散処理前の値に戻す事を決定し、基地局監視装置１２１を通して、基地局１０１〜１０３のハンドオーバパラメータを負荷分散処理前のハンドオーバパラメータ値を設定する。
【０１１３】
また、負荷分散処理前のハンドオーバパラメータ値の設定方法として、負荷分散制御装置１２２が、基地局１０１〜１０３に直接ハンドオーバパラメータを設定しても良い。図２４の様に、負荷分散処理前の負荷分散エリア内の一定値以上の負荷ランクのセルの負荷ランクが、負荷分散処理後に一定値以上上がったセルの、ハンドオーバオフセット値を負荷分散処理前の値に戻す事で、本処理によって劣化してしまったセルの負荷状況を改善する事が可能となる。
【０１１４】
以上の実施例において、図４の負荷情報の収集処理（４０４）から負荷分散効果の判定処理（４１３）までは、所定のサイクルで実施することができる。時間的な間隔は任意であるが、短い周期で行えば、負荷状態に対する負荷分散処理の応答性が向上するが、負荷分散処理の負担が増加する。
【０１１５】
最後に、図２５、図２６を用いて、本実施例の負荷分散処理の効果を説明する。
【０１１６】
図２５は、負荷分散ピンポンの発生を抑制した負荷分散の効果について説明をする図である。図２５の基地局１０１、および基地局１０３は接続している移動体端末数が基地局１０２に比較して多く、基地局１０１、および基地局１０３の負荷が高い。一方、基地局１０２は、接続している移動体端末数が基地局１０１、および基地局１０３に比較して少ないため、負荷が低い。
【０１１７】
この様な状況で、本実施例の処理を適用することで、基地局１０１、および基地局１０３から、基地局１０２に対する負荷分散を行う際に、通常よりもハンドオーバしにくくなるようにハンドオーバパラメータを設定し、基地局１０２に対して、基地局１０１、および基地局１０３、からハンドオーバする移動体端末数を抑制する。すなわち、移動体端末２４１２、および移動体端末２４１６がハンドオーバをし、移動体端末２４１３、および移動体端末２４１５はハンドオーバをしない。この様な制御を行う事で、基地局１０１、および基地局１０３から基地局１０２に対して、ハンドオーバさせる移動体端末数を抑制する事で、負荷分散処理後に基地局１０２の負荷が高くなりすぎる事を防ぎ、ハンドオーバピンポンの発生を抑制する。各セルが個別にハンドオーバパラメータを設定すると、負荷分散処理後に負荷の偏りが再発生する場合があるが、本実施例ではこのような現象を抑制することができる。
【０１１８】
図２６は、隣接セルの隣接セルへの負荷分散を考慮した負荷分散の効果について説明をする図である。図２６の基地局１０１は、隣接セルである基地局１０２と接続している移動体端末の数は同等であるため、負荷は同程度である。一方、基地局１０１は、隣接セルの隣接セルである、基地局１０３に比較して接続している移動体端末の数が多いため、負荷が高い。また、基地局１０２も、隣接セルである、基地局１０３に比較して接続している移動体端末の数が多いため、負荷が高い。この様な状況で、本実施例の処理を適用する事で、基地局１０２から、基地局１０３に対する負荷分散のためのハンドオーバに加えて、基地局１０１から、基地局１０２を通じて、基地局１０３に対する負荷分散のためのハンドオーバも行う。この事で、エリア（３つの基地局）観点での負荷分散効果が向上する事が可能となる。隣接するセル同士のみで負荷の偏りを判定し、負荷分散を行うと、隣接セル間で負荷分散を実施するだけの負荷の偏りがない場合は、負荷分散が行われない場合があるが、本実施例ではこのような現象を抑制することができる。
【０１１９】
本実施例中、ソフトウエアで構成した機能と同等の機能は、FPGA（Field Programmable Gate Array）、ASIC（Application Specific Integrated Circuit）などのハードウエアでも実現できる。そのような態様も本願発明の範囲に含まれる。
【０１２０】
以上の実施例では、負荷分散ピンポンの発生を抑制し、負荷分散対象エリア内の全基地局を対象とした負荷分散パラメータを算出することで、負荷分散の効果を向上させる事を可能にする例を説明した。本発明は上記した実施形態に限定されるものではなく、様々な変形例が含まれる。例えば、ある実施例の構成の一部を他の実施例の構成に置き換えることが可能であり、また、ある実施例の構成に他の実施例の構成を加えることが可能である。また、各実施例の構成の一部について、他の実施例の構成の追加・削除・置換をすることが可能である。
【符号の説明】
【０１２１】
１２１：基地局監視装置
１２２：負荷分散制御装置
１２３：コアネットワーク装置
１２４：ネットワーク
１０１，１０２，１０３，１０４：基地局
【図１】
2017152786.tif 000003
【図２】
2017152786.tif 000004
【図３】
2017152786.tif 000005
【図４】
2017152786.tif 000006
【図５】
2017152786.tif 000007
【図６】
2017152786.tif 000008
【図７】
2017152786.tif 000009
【図８】
2017152786.tif 000010
【図９】
2017152786.tif 000011
【図１０】
2017152786.tif 000012
【図１１】
2017152786.tif 000013
【図１２】
2017152786.tif 000014
【図１３】
2017152786.tif 000015
【図１４】
2017152786.tif 000016
【図１５】
2017152786.tif 000017
【図１６】
2017152786.tif 000018
【図１７】
2017152786.tif 000019
【図１８】
2017152786.tif 000020
【図１９】
2017152786.tif 000021
【図２０】
2017152786.tif 000022
【図２１】
2017152786.tif 000023
【図２２】
2017152786.tif 000024
【図２３】
2017152786.tif 000025
【図２４】
2017152786.tif 000026
【図２５】
2017152786.tif 000027
【図２６】
2017152786.tif 000028